(57)【要約】 【課題】  一台のコンベアにてメダルの水平搬送と揚送とを行うことができ、かつ湾曲した遊技機島にも設置することができるメダル搬送装置を提供する。【解決手段】  メダル搬送装置は、水平搬送部１と、水平搬送部１の一端に枢設された傾斜搬送部２とからなり、これらの間にモジュラー構成のコンベアベルト３がかけ渡されている。コンベアベルト３の左右の両縁には、メダル脱落防止用の側壁部４が設けられている。水平搬送部１には、モータＭによって駆動されるモータローラ５と、補助ローラ６と、エンドローラ７とが配設されている。傾斜搬送部２は側壁部４に締結具９で枢着されており、この枢着部にはコンベアベルト３の折り返し用ローラ１１が配設されている。また、傾斜搬送部１の一端にはテールローラ１２が配設されており、この一端を上下回動することにより傾斜搬送部２の傾き角度を調整することができる。【選択図】    図１
2005143951.tif 000002
【特許請求の範囲】
【請求項１】
遊技機島に配設された遊技機から排出されるメダルを搬送するためのメダル搬送装置において、複数のモジュラーリンクからなるベルトモジュールがヒンジピンで多数連結されたコンベアベルトと、該コンベアベルトを駆動させるコンベアベルト駆動部と、前記コンベアベルトの両縁に設けたメダル脱落防止用の側壁部とからなること特徴とするメダル搬送装置。
【請求項２】
前記コンベアベルトの搬送面に、メダルが進行方向と逆方向に滑落するのを防止するための複数の突起を配置したことを特徴とする請求項１に記載のメダル搬送装置。
【請求項３】
前記コンベアベルトは、遊技機の下部に配置される水平搬送部と、該水平搬送部の一端に傾角調整自在に枢設された傾斜搬送部とからなることを特徴とする請求項１または２に記載のメダル搬送装置。
【請求項４】
傾斜搬送部の搬送面上方を、メダル飛散防止用の蓋板で覆ったことを特徴とする請求項１〜３の何れかに記載のメダル搬送装置。
【請求項５】
湾曲状に形成された遊技機島に対応して、水平搬送部を湾曲させたことを特徴とする請求項１〜４の何れかに記載のメダル搬送装置。
【発明の詳細な説明】
【技術分野】
【０００１】
本発明は、スロットマシンなどの遊技機島下部に配設されて遊技用のメダルを島端部にまで搬送するためのメダル搬送装置に関するものである。
【背景技術】
【０００２】
遊技機から排出されたメダルを搬送する装置として、特許文献１に開示されたものがある。このメダル搬送装置は、遊技機島の下部にメダル回収用の樋を配設し、この樋の上部にレールを敷設したうえに、このレール上に走行体を走らせてメダルをかき集めて回収するものである。しかし、このメダル搬送装置においては、走行体の構造が複雑となるうえに、この走行を制御する制御機構も必要となって、搬送装置の製造コストが高くなってしまう。さらに、遊技機島の端部にまで搬送後のメダルを、やや高い位置にあるメダル研磨装置やメダル揚送装置の投入口に揚送するには、別のコンベアが必要になって、さらに搬送機構全体が複雑になるという問題があった。
【特許文献１】特開２００３−１１７０６７号公報  (図１)
【０００３】
また、遊技ホールの制約から遊技機島が湾曲して形成されているような場合には、この
湾曲に対応して搬送装置を配設する必要があるが、通常のベルトコンベアを用いた場合は、このコンベアは真直方向にしかメダルを搬送することができない。したがって、短いベルトコンベアを搬送方向を変えて多数台連設する必要があって、搬送機構がたいへん大掛かりになるという問題もあった。
【発明の開示】
【発明が解決しようとする課題】
【０００４】
本発明は上記した従来の問題点を解決して、一台のコンベアにてメダルの水平搬送と揚送とを行うことができるうえに、湾曲した遊技機島にも柔軟に対応することができるメダル搬送装置を提供するためになされたものである。
【課題を解決するための手段】
【０００５】
上記の課題を解決するためになされた本発明のメダル搬送装置は、遊技機島に配設された遊技機から排出されるメダルを搬送するためのメダル搬送装置において、複数のモジュラーリンクからなるベルトモジュールがヒンジピンで多数連結されたコンベアベルトと、該コンベアベルトを駆動させるコンベアベルト駆動部と、前記コンベアベルトの両縁に設けたメダル脱落防止用の側壁部とからなること特徴とするものである。
【０００６】
なお、前記コンベアベルトの搬送面に、メダルが進行方向と逆方向に滑落するのを防止するための複数の突起を配置することができ、前記コンベアベルトは、遊技機の下部に配置される水平搬送部と、該水平搬送部の一端に傾角調整自在に枢設された傾斜搬送部とからなるもとのすることができ、傾斜搬送部の搬送面上方を、メダル飛散防止用の蓋板で覆うことができ、さらに、湾曲状に形成された遊技機島に対応して、水平搬送部を湾曲させることができる。
【発明の効果】
【０００７】
本発明のメダル搬送装置は、複数のモジュラーリンクからなるベルトモジュールがヒンジピンで多数連結されたコンベアベルトと、該コンベアベルトを駆動させるコンベアベルト駆動部と、前記コンベアベルトの両縁に設けたメダル脱落防止用の側壁部とからなるものとしたので、搬送中のメダルがコンベアから脱落することがない。
【０００８】
また、コンベアベルトの搬送面に複数の突起を配置したので、コンベアが傾斜している場合にもメダルが進行方向と逆方向に滑落するのを防止することができる。コンベアベルトは、遊技機の下部に配置される水平搬送部と、該水平搬送部の一端に傾角調整自在に枢設された傾斜搬送部とからなるものとしたので、搬送先の高さに合わせて傾き角度を調整することができる。
また、傾斜搬送部の搬送面上方に施蓋をしたので、垂直状にメダルが揚送される場合にもメダルのコンベアベルトからの落ちこぼれを防止することができる。さらに、遊技機島が湾曲状に形成されている場合には、メダル搬送装置の水平搬送部を遊技機島に対応して湾曲させることができるので、多数台のコンベアを連設する必要がない。
【発明を実施するための最良の形態】
【０００９】
以下に図面を参照しつつ本発明の好ましい実施形態を説明する。
図１〜２は、本発明に係るメダル搬送装置を示す図であって、１は水平搬送部、２は水平搬送部１に枢設された傾斜搬送部、３はモジュラー構造のコンベアベルトである。コンベアベルト３の両縁には、メダル脱落防止用の側壁部（支持フレーム）４が設けられている。水平搬送部１は遊技機島の下部に配設されて遊技機から排出されたメダルを受け止めるが、その長さは遊技機島の長さに応じて設定される。傾斜搬送部２は島端部に配置されて、水平搬送部１から送り込まれたメダルを図示していないメダル研磨装置やメダル揚送装置の投入口まで揚送する。
【００１０】
水平搬送部１には、側壁部４の所要部位に、モータＭによって駆動されるモータローラ５と、モータローラ５がコンベアベルト３を駆動するのを援助する補助ローラ６と、エンドローラ７とが配設されている。
【００１１】
傾斜搬送部２は回動用フレーム（側壁部）８を有し、その一端が側壁部４にねじ込み式の締結具９により枢着されており、この枢着部にはコンベアベルト３の折り返し用ローラ１１が配設されている。また、回動用フレーム８の他端には、テールローラ１２が配設されており、このテールローラ１２側の端部を上下回動することにより傾斜搬送部２の傾斜角度を調整することができる。角度設定後は締結具９の締付けによりその角度が固定される。また、傾斜搬送部２の搬送面上方にはカバー１３が施されており、コンベアベルト３が垂直状などの急角度に傾斜された場合に、メダルがコンベアベルト３から脱落して飛散するのを防止する。なお、コンベアベルト３は、図示のように、モータローラ５、補助ローラ６、エンドローラ７、折り返し用ローラ１１、テールローラ１２の間を繰り返し周回する。
【００１２】
傾斜搬送部２は、図１のようにコンベアベルト３をほぼ垂直とすることができるし、図３に示すようにコンベアベルト３をほぼ水平とすることもでき、この間で傾斜角度を任意に設定することができる。遊技機島の端部にまで搬送されたメダルが投入されるメダル研磨装置やメダル揚送装置の高さが様々であり、これに対応するためである。
【００１３】
メダル搬送装置の断面構造を図４に示す。側壁部４は、架台４１と、この架台４１の両サイドに固定された左右のメインフレーム４２と、このメインフレーム４２に立設された左右の側板４３とからなる。メインフレーム４２は、コンベアベルト３の縁部が嵌め込み可能な略コの字形の溝部４４が、開口部を内向きとして形成されている。また、溝部４４の下側は、コンベアベルト支承用の受け部４５が延設されている。また、架台４１の下部にはこの架台４１の左右を貫通して軸棒６１が螺着されており、この軸棒６１の端部に寄せて二つの補助ローラ６が回転自在に枢着されている。この補助ローラ６の一部にコンベアベルト３の下側周回部３１が接触して、コンベアベルト３は周回される。
【００１４】
一方、コンベアベルト３の上側周回部３２の左右の両縁は、メインフレーム４２の溝部４４に嵌め込まれていて、コンベアベルト３は溝部４４内を摺動可能に溝部４４と受け部４５により支承されている。ここで、コンベアベルト３の搬送面３３と溝部壁面４６との隙間は、メダルの厚み未満としてあるので、この隙間にメダルが入りこむことはない。したがって、コンベアベルト３からのメダルの脱落を確実に防止することができる。
【００１５】
コンベアベルト３は、図５に示す第１ベルトモジュール１６と、図６に示す第２ベルトモジュール１８とが、交互に組み合わされたものである。図５において、第１ベルトモジュール１６は、このモジュール１６を構成するモジュラーリンク１５の幾つかの搬送面に所要の間隔で突起１４が形成されたものである。なお、各モジュラーリンク１５にはピン挿通孔１９が形成されている。一方、図６に示す第２ベルトモジュール１８においては、モジュラーリンク１７の搬送面に突起は形成されていない。また、各モジュラーリンク１７もピン挿通孔２０を有するので、これらのピン挿通孔１９、２０にヒンジピンを挿通することによりコンベアベルト３を構成することができる。このように、モジュラーリンク１７に設けたピン挿通孔１９、２０にヒンジピンを挿脱可能に構成したので、コンベアベルト３をメダル搬送装置の長さに応じて容易に変更することが可能となる。
【００１６】
図７に、上記したものと若干形状の異なる第１ベルトモジュール１６と、第２ベルトモジュール１８とがヒンジピン２１で多数連結されたコンベアベルト３を示す。このコンベアベルト３において、突起１４は、コンベアベルト３の幅方向に、隣りの突起１４との間隔をメダルの直径未満として配置されている。また、搬送方向には突起１４の間隔をメダル１個分より若干大きくしてあるので、突起１４群によってメダルを確実に搬送することができ、コンベヤベルト３の傾斜が急角度になったときでもメダルを滑落させることなく搬送することができる。なお、上記実施形態において第２ベルトモジュール１８には突起１４を設けていないが、メダルの搬送に支障がない限り第２ベルトモジュール１８に突起１４を設けてもよいことは言うまでもないことである。
【００１７】
前記コンベアベルト３において、第１ベルトモジュール１６と第２ベルトモジュール１８とはヒンジピン２１により遊びをもって連結されているので、コンベアベルト３の縁部の一方を引っ張り、他方を圧縮することによりコンベアベルト３を湾曲させることができる。湾曲の程度は遊びの量を加減することにより調整することができる。遊技ホールの制約により遊技機島を湾曲状に形成した場合には、図８に示すように、水平搬送部１を遊技機島に対応して湾曲させて遊技機島の下部に配設することができる。したがって、従来のようにベルトコンベアを多数台連設する必要がない。また、一つの駆動源にて、湾曲状に形成された遊技機島にも対応できる。
また、本発明のメダル搬送装置は傾斜搬送部２を含めコンベア全体を一台のモータＭで駆動するので、構造が極めて簡潔であるうえに、電力消費が少ないという大きな利点を有する。
【図面の簡単な説明】
【００１８】
【図１】本発明に係るメダル搬送装置の概略構造を示す正面図である。
【図２】メダル搬送装置の側面図である。
【図３】傾斜搬送部を水平状態としたメダル搬送装置の正面図である。
【図４】図１のＡ−Ａ線断面図である。
【図５】第１ベルトモジュールの平面図（ａ）と側面図（ｂ）である。
【図６】第２ベルトモジュールの平面図（ａ）と側面図（ｂ）である。
【図７】コンベアベルトの一部を示す平面図である。
【図８】湾曲状のメダル搬送装置を示す平面図である。
【符号の説明】
【００１９】
１  水平搬送部
２  傾斜搬送部
３  コンベアベルト
４  側壁部
５  モータローラ
６  補助ローラ
７  エンドローラ
８  回動用フレーム
９  締結具
１１  折り返し用ローラ
１２  テールローラ
【図１】
2005143951.tif 000003
【図２】
2005143951.tif 000004
【図３】
2005143951.tif 000005
【図４】
2005143951.tif 000006
【図５】
2005143951.tif 000007
【図６】
2005143951.tif 000008
【図７】
2005143951.tif 000009
【図８】
2005143951.tif 000010